(57)【特許請求の範囲】
【請求項１】
ノズルヘッドの押込みとこの押込み前の初期位置に復帰させる動作を繰り返すことによって該ノズルヘッドの先端開口より容器内の内容物を排出するようにしたオール樹脂製のポンプであって、
容器の口部に係合するキャップと、ノズルヘッドの初期位置への復帰を誘導する弾性部材と、ノズルヘッドの動作に追随し先端開口につながる通路を有する筒状ピストンと、この筒状ピストンを内挿しその先端でサクションチューブとつながり他端でキャップにおいて固定保持されるシリンダーとを備え、
前記シリンダーに、ノズルヘッドの押込み時には該シリンダーの通路を閉塞するが初期位置への復帰に際してそれを開放する第１のバルブを設け、
前記筒状ピストンに、その先端部にて嵌合し該筒状ピストンとともに動作するソケットを配設してなり、
該ソケットは、シリンダーの内壁面に摺動可能に接触して高い液密状態を保持するシール部分と、ノズルヘッドの押込み時にのみそれ自体を弾性変形させて筒状ピストンの通路を開放する第２のバルブとを一体的に備える、ことを特徴とするオール樹脂ポンプ。
【発明の詳細な説明】
【０００１】
【発明の属する技術分野】
本発明は、乳液やシャンプー等、比較的大型の容器の口部に装着され容器内から内容物を適量取り出すのに適したプッシュタイプのポンプに関し、該ポンプの部品点数の削減を図るとともにオール樹脂化による内容物の品質保持、簡易な分別廃棄を有利に実現しようとするものである。
【０００２】
【従来の技術】
プッシュタイプのポンプは、スプリングの如き弾性部材にて支持されたノズルヘッドをその弾性力に抗して押込むことによりシリンダー内に予め吸い込んである内容物を加圧してノズルヘッドの先端開口より排出し、ノズルヘッドの初期位置への復帰過程でシリンダーに容器内の内容物を吸引する構造になっていて、とくに、大型の容器に収容されたシャンプーや乳液等を必要に応じて適量取り出す際には不可欠なものとなっている。
【０００３】
この点に関する先行技術としては、ノズルヘッド、ピストンをプラスチックにて一体成形された構成になる特開平７−１４４１５９号公報に開示のようなプッシュディスペンサーが知られている。
【０００４】
ところで、上記のような従来のポンプは分別回収の簡便化を図る観点からオール樹脂化が試みられてはいるものの、部品点数が多く組み立て作業の効率化を図るのが難しく、また、構成部材に局所的に大きな荷重が加わった場合に破損し易いこともあって、とくに、ノズルヘッドを弾性支持するスプリングの如き部材や内容物の吸引、排出を司るバルブに関してはそれらとの接触によって内容物の品質に影響を与えることが懸念される金属製のものが多く使用されており、使用済み容器の廃棄に際して分別回収するにも困難な状況にある。
【０００５】
【発明が解決しようとする課題】
本発明の課題は、上述したような従来の問題を回避できるオール樹脂ポンプを提案するところにある。
【０００６】
【課題を解決するための手段】
本発明は、ノズルヘッドの押込みとこの押込み前の初期位置に復帰させる動作を繰り返すことによって該ノズルヘッドの先端開口より容器内の内容物を排出するようにしたオール樹脂製のポンプであって、
容器の口部に係合するキャップと、ノズルヘッドの初期位置への復帰を誘導する弾性部材と、ノズルヘッドの動作に追随しその先端開口につながる通路を有する筒状ピストンと、この筒状ピストンを内挿しその先端でサクションチューブとつながり他端でキャップにおいて固定保持されるシリンダーとを備え、
前記シリンダーに、ノズルヘッドの押込み時には該シリンダーの通路を閉塞するが初期位置への復帰に際してそれを開放する第１のバルブを設け、
前記筒状ピストンに、その先端部にて嵌合し該筒状ピストンとともに動作するソケットを配設してなり、
該ソケットは、シリンダーの内壁面に摺動可能に接触して高い液密状態を保持するシール部分と、ノズルヘッドの押込み時にのみそれ自体を弾性変形させて筒状ピストンの通路を開放する第２のバルブとを一体的に備える、ことを特徴とするオール樹脂ポンプである。
【０００８】
【発明の実施の形態】
シリンダー内に吸引した内容物を加圧して排出する際に使用するバルブをピストンと一体化して部品点数を減らすとともに金属製部材の使用をなくす。
【０００９】
【実施例】
以下、図面を参照して本発明をより具体的に説明する。
図１は本発明に従うポンプの構成を示したものである。図において番号１はノズルヘッドである。このノズルヘッド１は容器内の内容物を排出するための先端開口１ａを有する。
【００１０】
また、２は容器の口部にねじ等の手段によって係合するキャップ、３はキャップ２の上面に配置されるリテーナー、４はこのリテーナー３に保持されノズルヘッド１の初期位置への復帰を誘導する弾性部材である。リテーナー３は、その上端外周にノズルヘッド１の内周面に設けたリブが当接してノズルヘッド１の押込みを回避する段部３ａが設けられており、また、その外周面には前記リブに案内されノズルヘッド１の上下動作を許容する段部の周方向端部に連続するとともに軸方向に延びる案内溝部３ｂが設けられており、ノズルヘッド１のロック、非ロック状態の切り換えを行うことができるようになっている。さらに、前記リテーナー３の上端段部にはノズルヘッド１のロック、非ロックの切り換えを確実なものとするため前記リブが各々の位置に動く時に乗り越え可能な突条３ｃを周方向略９０°離れた位置に設けられている（図１０参照）。
【００１１】
５はリテーナー３の内面をガイドとしてノズルヘッド１の動作に追随する筒状ピストンである。この筒状ピストン５はノズルヘッド１の先端開口１ａにつながる通路５ａを有している。６は筒状ピストン５を内挿するシリンダーであり、このシリンダー６はその先端（下端）に容器内の内容物を吸い上げるためのサクションチューブ７に連結されていて、後端（上端）がキャップ２において固定保持されている。
【００１２】
また、８はシリンダー６に配置される第１のバルブである。この第１のバルブ８はそれ自体が弾性変形するとともに多少の上下移動をするようにシリンダー６に組み付けられており、ノズルヘッド１の押込み時（内容物の排出時）にはその通路６ａを閉塞状態に維持するが初期位置への復帰に際して該通路６ａを開放する。
【００１３】
９は筒状ピストン５の先端部に嵌合し、該筒状ピストン５とともに動作するソケットである。このソケット９はシリンダー６の内壁面に摺動可能に接触して高い液密状態を保持するシール部分９ａとノズルヘッド１の押込み時にのみ筒状ピストン５の通路５ａを開放する第２のバルブ９ｂを有する。
【００１４】
ソケット９はシール部分９ａと第２のバルブ９ｂをそれぞれ一体的に成形することができるものであり、このうち第２のバルブ９ｂはそれ自体が弾性変形して筒状ピストン５の通路５ａを開放するものからなっている。１０は負圧を回避するための負圧防止用の孔である。
【００１５】
ノズルヘッド１をそのロック位置から９０°回転させ非ロック状態にして押し込んだ図２に示すような状況において、該ノズルヘッド１に付加した力を取り除くと弾性部材４の弾性力によりノズルヘッド１がピストン５およびソケット９とともに上掲図１に示したように初期位置に復帰することになる。
【００１６】
この時、シリンダー６の中は負圧になり、サクションチューブ７にて容器内の内容物が吸引され、第１のバルブ８を経てシリンダー６内に流入する。
【００１７】
ノズルヘッド１が完全に初期位置に戻った状態では、第１のバルブ８は閉状態を保持することになり、シリンダー６内には所定量の内容物が貯溜されることになる。
【００１８】
この状態から、さらに図２の如くノズルヘッド１を押し込むとシリンダー６内は加圧され、第２のバルブが弾性変形により開放され該シリンダー６内に貯溜していた内容物はピストン５の通路５ａ、この通路５ａにつながるノズルヘッド１の先端開口１ａを経て外界へと排出されることになる。
【００１９】
上記の動作を必要に応じて複数回繰り返すことにより容器内の内容物を適量取り出すことができる。
【００２０】
図３に第１のバルブ８の外観斜視図を、また、図４にソケット９の外観斜視図をそれぞれ示し、図５〜図１１に各構成部材を単独で取り出してそれぞれ示す。
【００２１】
図１２は本発明に従うポンプの他の例を示したものである。
このポンプは弾性部材４を保持するリテーナー３とキャップ２とを一体成形してキャップ２の内側面でシリンダー６を保持するようにしたものであって、この構造のものは部品点数のより一層の低減を図ることができる。
内容物の排出に関しては、上掲図１に示したものと変わるところはない。
【００２２】
図１３はピストン５の外側にそれと一体成形されシリンダー６の内壁面で摺動する環状体１１を設けてピストン５とシリンダー６との相互間におけるシール性をより一層高めるとともに、ノズルヘッド１とピストン５とをそれらの周りで取り囲んで保持するホルダー１２を設けた例である。
【００２３】
上記の構成になるポンプも容器内の内容物を排出する動作に関しては上掲図１、図１２のものとなら変わるところはない。
図１４にピストン５のみの外観および要部の断面を示す。
【００２４】
図１５はシリンダー６の内壁面に段部６ａを設け、ピストン５の外周面に段部５ｂを設け、各段部６ａ、５ａに端面が係合するように弾性部材４を配置し、弾性部材４をその両側から挟み込んでその相互間のシール性を高めるべくピストン５にソケット９およびシール部材１３を設けた例である。
【００２５】
このポンプは、内容物の排出は図１、図１２および図１３に示したものと同様に排出することが可能であるが、ノズルヘッド１を極めてコンパクトなものとすることができる利点がある。
図１６に上掲図１５に示したピストン５の側面を一部断面にして示し、図１７にシール部材１３の側面を一部断面にして示す。なお、図示はしないが、本発明においてはノズルヘッド１の押込み状態で該ノズルヘッド１をロックする機構は螺合等の周知のロック機構が適用できるものであってこの点に関しては限定されない。
【００２６】
本発明に従うポンプは全てプラスチックのような合成樹脂で構成することが可能なものであって、各部材は射出成形法等従来技術を適用して製造することができる。
【００２７】
とくに、第１のバルブおよび第２のバルブに関しては圧力の変化に伴う弾性変形を利用してバルブの開閉を行うものであり、その製作に際しては確実な動作を導くことができるような設計を行うことが肝要になる。
【００２８】
【発明の効果】
本発明によれば構成部材の全てを樹脂化できるので、分別廃棄が容易であり、また、金属部材を利用した従来型のポンプにおいては、部材の金属部分と内容物が接触した場合に、かかる内容物が金属と反応してその品質に影響を与えることも懸念されたが、オール樹脂化によってそのような心配が皆無となり内容物の使用範囲を著しく拡大できる。
【図面の簡単な説明】
【図１】  本発明に従うポンプの構成説明図である。
【図２】  図１に示したポンプの作動要領の説明図である。
【図３】  第１のバルブの外観斜視図である。
【図４】  第２のバルブの外観斜視図である。
【図５】  筒状ピストンの側面を示した図である。
【図６】  （ａ）（ｂ）はソケットの側面および平面を示した図である。
【図７】  第２のバルブの側面を示した図である。
【図８】  （ａ）（ｂ）および（ｃ）はシリンダーの側面、平面および底面をそれぞれ示した図である。
【図９】  （ａ）（ｂ）は弾性部材の側面および平面を示した図である。
【図１０】  （ａ）（ｂ）はリテーナーの側面および平面を示した図である。
【図１１】  キャップの側面を示した図である。
【図１２】  本発明に従うポンプの他の例を示した図である。
【図１３】  本発明に従うポンプの他の例を示した図である。
【図１４】  ピストンの側面を示した図である。
【図１５】  本発明に従うポンプの他の例を示した図である。
【図１６】  ピストンの側面を一部断面にして示した図である。
【図１７】  シール部材の側面を一部断面にして示した図である。
【符号の説明】
１  ノズルヘッド
１ａ  先端開口
２  キャップ
３  リテーナー
３ａ  段部
３ｂ  案内溝部
３ｃ  突条
４  弾性部材
５  筒状ピストン
５ａ  通路
５ｂ  環状部材
６  シリンダー
７  サクションチューブ
８  第１のバルブ
９  ソケット
９ａ  シール部材
９ｂ  第２のバルブ
10  負圧防止用の孔
11  環状体
12  ホルダー
13  シール部材
【図１】
0003901444.tif 000002
【図２】
0003901444.tif 000003
【図３】
0003901444.tif 000004
【図４】
0003901444.tif 000005
【図５】
0003901444.tif 000006
【図６】
0003901444.tif 000007
【図７】
0003901444.tif 000008
【図８】
0003901444.tif 000009
【図９】
0003901444.tif 000010
【図１０】
0003901444.tif 000011
【図１１】
0003901444.tif 000012
【図１２】
0003901444.tif 000013
【図１３】
0003901444.tif 000014
【図１４】
0003901444.tif 000015
【図１５】
0003901444.tif 000016
【図１６】
0003901444.tif 000017
【図１７】
0003901444.tif 000018